(57)【要約】【課題】超電導線を効率良く、かつ、高密度にボビンに巻き付ける。【解決手段】帯状の超電導線と、該超電導線が巻き付けられているボビンとからなる超電導コイルであって、前記ボビンの円筒状の本体の外周面には、前記超電導線の１周の巻回毎に、巻付方向を軸線方向と直交する周方向に規制する規制領域と、巻付方向が規制されないフリー領域とに区画するガイド部が設けられ、前記超電導線は、各巻回毎に前記規制領域で周方向に巻き付けられていると共に、前記フリー領域で次ぎの巻回位置へと傾斜させて巻き付けられている。【選択図】図１
2008004903.tif 000002
【特許請求の範囲】
【請求項１】
帯状の超電導線と、該超電導線が巻き付けられているボビンとからなる超電導コイルであって、
前記ボビンの円筒状の本体の外周面には、前記超電導線の１周の巻回毎に、巻付方向を軸線方向と直交する周方向に規制する規制領域と、巻付方向が規制されないフリー領域とに区画するガイド部が設けられ、
前記超電導線は、各巻回毎に前記規制領域で周方向に巻き付けられていると共に、前記フリー領域で次ぎの巻回位置へと傾斜させて巻き付けられていることを特徴とする超電導コイル。
【請求項２】
前記超電導線は、ボビンの軸線方向の一端側から他端側へと巻き付けられる単層、あるいは、一端側と他端側との間を所要回数往復させて巻き付けられた複数層とされ、
前記複数層では、往路と復路において前記フリー領域における超電導線の巻付方向が逆とされている請求項１に記載の超電導コイル。
【請求項３】
前記超電導線は複数枚の積層体とされ、２個の積層体がボビンの軸線方向に並列状態で巻回され、かつ、各巻回毎に前記フリー領域で、２個の積層体のうちの第１積層体の最内層の超電導線が第２積層体の最内層位置に転位されていると共に、該第２積層体の最外層の超電導が第１積層体の最外層位置に転位され、最内層位置の超電導線は１周巻回毎に変えられている請求項１または請求項２に記載の超電導コイル。
【請求項４】
前記周方向の規制領域の長さはフリー領域の長さより大とされ、かつ、該フリー領域は軸線方向の一端から他端にかけて軸線方向と平行に連続して設けられ、周方向の同一箇所で超電導線が傾斜されて次の巻回位置へと移行されている請求項１乃至請求項３のいずれか１項に記載の超電導コイル。
【請求項５】
前記フリー領域における超電導線の軸線方向の最大移行寸法Ｌ１と該フリー領域の周方向の寸法Ｌ２とは、Ｌ１：Ｌ２＝１：４〜１：５０とされている請求項１乃至請求項４のいずれか１項に超電導コイル。
【請求項６】
前記ガイド部は前記ボビンの外周面に突設されるフィンあるいはピンからなり、これらガイド部は、前記規制領域において、超電導線の幅と対応させてボビンの軸線方向に間隔をあけて突設されていると共に、少なくともフリー領域との境界位置となる規制領域の周方向両端に突設されている請求項１乃至請求項５のいずれか１項に記載の超電導コイル。
【請求項７】
請求項１乃至請求項６のいずれか１項に記載の超電導コイルを備えた超電導機器。
【請求項８】
円筒状の本体の外周面に、軸線方向に間隔をあけて、該軸線方向と直交方向の円周方向の溝が並設され、これらの溝の周方向の一部にガイド片が突設され、これらガイド片に挟まれた規制領域が設けられていると共に、前記ガイド片を突設せずに軸線方向に連続させたフリー領域が設けられ、
前記規制領域は超電導線を周方向に巻回させる領域とされていると共に、前記フリー領域は前記超電導を次ぎの巻回位置へと傾斜させて巻き付ける領域とされていることを特徴とする超電導コイルのボビン。
【請求項９】
前記ガイド片は円弧状のフィンからなり、該フィンの基部が前記規制領域の溝の全長に沿って圧入されて突設され、かつ、該フィンには冷媒流通用のスリット、孔あるいは切欠きが設けられている請求項８に記載の超電導コイルのボビン。
【請求項１０】
前記ガイド片はガイドピンからなり、該ピンの基部が前記規制領域の溝に間隔をあけて圧入されて突設され、該ガイドピンは前記規制領域の周方向両端と、その間の中央部に突設される３本以上とされている請求項８に記載の超電導コイルのボビン。
【請求項１１】
請求項１乃至請求項６のいずれか１項に記載の超電導コイルに用いられる請求項８乃至請求項１０のいずれか１項に記載の超電導コイルのボビン。
【発明の詳細な説明】
【技術分野】
【０００１】
本発明は、超電導コイルおよびボビンからなり、特に、ボビンを改良して、帯状の超電導線を高密度に複数層巻きするものである。
【背景技術】
【０００２】
従来、超電導コイルとして、本出願人は、特開昭６４−１１３０５号公報（特許文献１）等において、図１３に示すような円筒状の芯材（ボビン）２の外周面に帯状の超電導線３を螺旋状に巻き付けた超電導コイル１を提供している。
しかしながら、特許文献１で提供している超電導コイル１では、芯材２に超電導線３をガイドする部材を設けていないため、巻き付けた超電導線３がばらけやすい。特に、超電導線３を高密度で巻き付けるために、複数枚の超電導線３を重ね、積層体として芯材２に巻き付けた場合には、前記現象が顕著に生じやすい。
【０００３】
そこで、巻き付ける超電導線をガイドするために芯材の外周面に螺旋状の溝を設け、該螺旋溝内に超電導線を配線して巻き付ける超電導コイルが提供されている。
しかしながら、芯材の外周面に螺旋状の溝を設けると、超電導線の巻付方向が規定されてしまい、芯材の一端から他端まで巻き付けた超電導線を一端側へ巻き返すことができない。
そこで、複数層で巻き付ける場合、芯材の螺旋溝に沿って一端から他端へ超電導線を巻き付けた後、逆方向の螺旋溝が設けられた別の円筒管からなる芯材を被せ、該芯材に超電導線を他端側から一端側へと巻き返して往復させ、これを繰り返すことにより多層巻きとしている場合がある。
前記のような構成とすれば、芯材に超電導線を複数層で巻き付けることができるが、超電導線の各層の間に芯材が介在するため、超電導コイルが大型化する問題がある。
【０００４】
【特許文献１】特開昭６４−１１３０５号公報
【発明の開示】
【発明が解決しようとする課題】
【０００５】
本発明は前記問題に鑑みてなされたものであり、最内周に芯材（ボビン）を配置するだけで、該ボビンに超電導線を連続して複数層に巻き付けることができ、かつ、巻回位置の規制および巻付角度が調整ができるようにすることを課題としている。
【課題を解決するための手段】
【０００６】
前記課題を解決するため、第一の発明として、帯状の超電導線と、該超電導線が巻き付けられているボビンとからなる超電導コイルであって、
前記ボビンは、円筒状の本体の外周面に、前記超電導線の一周の巻回毎に、巻付方向を軸線方向と直交する周方向に規制する規制領域と、巻付方向が規制されないフリー領域とに区画するガイド部が設けられ、
前記超電導線は、各巻回毎に前記規制領域で周方向に巻き付けられていると共に、前記フリー領域で次ぎの巻回位置へと傾斜させて巻き付けられていることを特徴とする超電導コイルを提供している。
【０００７】
本発明の超電導コイルでは、ボビンの外周面に超電導線を連続的に傾斜させながら螺旋状に巻き付けるのではなく、１周の巻回（１ターン）は前記規制領域で周方向に巻回けると共に前記フリー領域で次の巻回位置へと傾斜させながら軸線方向に移行させ、これを繰り返してボビンの軸線方向の一端側から他端側へと巻き付けている。前記フリー領域ではガイド部に規制されないため、いずれの方向にも巻き付けることができ、例えば、複数層とする場合には往路と復路とで逆向きとすることができ、また、巻回ピッチを変えることもできる。
さらに、１周の巻回長さの大部分を前記規制領域とすると、該規制領域ではガイド部で超電導線の巻き付け方向を規制しているため、超電導線に蛇行等を発生させず、軸方向に隣接する超電導線の巻回部分と接触することが防止できる。
【０００８】
具体的には、前記超電導線は、ボビンの軸線方向の一端側から他端側へのみ巻き付けられる単層としても良いが、一端側と他端側との間を所要回数往復させて巻き付けられた複数層されることが好ましく、複数層の場合は、往路と復路において前記フリー領域における巻付方向が逆とされている。
【０００９】
このように、本発明では、ボビンの軸線方向の一端側から他端側へ超電導線を巻き付けて一層目を形成した後、一層目の超電導線の外周面に重ねるようにしてボビン軸線方向の他端側から一端側へ超電導線を巻き返して二層目を形成することができ、これを繰り返して複数層の超電導線からなる超電導コイルを形成することができる。このようにして形成した超電導コイルでは、各層間に従来例で示した芯材が介在されないため、効率良くかつ高密度にボビンに超電導線を巻き付けることができる。
【００１０】
本発明の超電導コイルは、１枚の超電導線を前記ボビンに単層あるいは複数層で巻き付けてもよいし、複数枚の超電導線を重ね合わせて積層体とした状態で一括で巻き付けてもよい。  
前記超電導線を積層体としたものを２個設け、２個の積層体をボビンの軸線方向に２列の並列状態として巻回し、かつ、各巻回毎に前記フリー領域で、２列の積層体のうちの第１積層体の最外層の超電導線を第２積層体の最外層位置に転位すると共に、該第２積層体の最内層の超電導を第１積層体の最内層位置に転位し、最内層位置の超電導線を１周巻回毎に変える構成としていることが好ましい。
【００１１】
前記ボビンに超電導線を複数層に巻き付けた超電導コイルでは、通電時に、電流分布が内外層で異なり、内周層の超電導線への通電量が多くなる一方、外周層の超電導線への通電量が少なくなり、外周層には全く流れない場合もある。
よって、積層体とした超電導線の内外周位置を変えずに、ボビンに巻き付けた場合、内層側の超電導線にのみ電流が流れ、外周側の超電導線には電流が流れなくなって外周側の超電導線が無駄になる。
そこで、本発明では、ボビンに設けたフリー領域において、超電導線を次の巻回位置へと移行させる際に、２列の第１積層体と第２積層体との間において、第１積層体の最内層の超電導線を第２積層体の最内層位置に転位すると共に、該第２積層体の最外層の超電導を第１積層体の最外層位置に転位し、ターン毎に最内層位置の超電導線を変え、全ての超電導線が積層体中に内外層を入れ替えている。これにより全ての超電導線に均一に電流を流すことができる。
なお、第１積層体と第２積層体の超電導線の枚数は同数であることが好ましいが、１、２枚程度の差があってもよい。
【００１２】
前記周方向の規制領域の長さはフリー領域の長さより大とされ、かつ、該フリー領域は軸線方向の一端から他端にかけて軸線方向と平行に連続して設けられ、周方向の同一箇所で超電導線が傾斜されて次の巻回位置へと移行されていることが好ましい。
【００１３】
前記フリー領域における超電導線の軸線方向の最大移行寸法Ｌ１と該フリー領域の周方向の寸法Ｌ２とは、Ｌ１：Ｌ２＝１：４〜１：５０とされていることが好ましい。
これは、フリー領域の周方向の長さが超電導線の最大移行寸法Ｌ１の４倍より小さいと、フリー領域において超電導線が急激に曲げられて損傷するおそれがあり、一方、５０倍より大きいと、ガイド部を設けた規制領域が周方向に短くなり過ぎて超電導線が蛇行したり、積層している場合にはばらけやすくなるからである。
なお、前記Ｌ１：Ｌ２＝１：１０程度が最も好ましい。
【００１４】
前記ボビンに設けるガイド部は、ボビンの外周面に突設されるフィンあるいはピンからなり、これらガイド部を、前記規制領域において、超電導線の幅と対応させてボビンの軸線方向に間隔をあけて突設しているが、超電導線の幅よりも若干広くして超電導線の巻き付けがスムーズに行えるようにしている。
また、前記ガイド部は規制領域の全長に沿って設けても良いが、間隔をあけて取り付けてもよく、少なくともフリー領域との境界位置となる規制領域の周方向両端に突設している。
【００１５】
さらに、第二の発明として、超電導コイルのボビンを提供しており、該ボビンは前記本発明の超電導コイルのボビンとして好適に用いられるものである。
該ボビンは絶縁材からなり、
円筒状の本体の外周面に、軸線方向に間隔をあけて、該軸線方向と直交方向の円周方向の溝が並設され、これらの溝の周方向の一部にガイド片が突設され、これらガイド片に挟まれた規制領域が設けられていると共に、前記ガイド片を突設ぜずに軸線方向に連続させたフリー領域が設けられ、
前記規制領域は超電導線を周方向に巻回させる領域とされていると共に、前記フリー領域は前記超電導を次ぎの巻回位置へと傾斜させて巻き付ける領域とされていることを特徴とする。
【００１６】
前記ボビンの外周面に軸線方向と直交する周方向の溝を設けているため、螺旋方向の溝を設ける場合と比べて切削加工が容易に行える。また、溝は、超電導線を挿入してガイドする溝ではなく、ガイド片の基部を嵌合固定する溝であるため、溝幅を細くでき、この点からも溝加工が容易となる。
また、溝は全周に設けているため、ガイド片を任意の位置に突設することができる。
ガイド片は、超電導線を複数層とする場合には、最外層の位置までは突設している。
【００１７】
前記ガイド片は円弧状のフィンからなり、該フィンの基部が前記規制領域の溝の全長に沿って圧入されて突設され、かつ、該フィンには冷媒流通用のスリット、孔あるいは切欠きが設けられていることが好ましい。
【００１８】
このように、規制領域の全長に沿ってフィンを突設すると、規制領域における超電導線の方向規制を完全に行うことができ、かつ、隣接する巻回位置の超電導線同士を確実に絶縁できる。
また、ボビンに巻き付ける線材は超電導線であるため、液体窒素等の冷媒を充填して超電導温度とされた冷媒容器中に密封される。複数層の超電導コイルでは内層側の超電導線が冷却されにくくなるが、前記フィンと超電導線との間に隙間があるため、この隙間が冷媒流通路として利用でき、内周側の超電導線を確実に冷却することができる。
特に、フィンにスリット、孔あるいは切欠きを設けると、これらも冷媒流通路として利用でき、密集した超電導線を超電導温度に効率よく冷却できる。
【００１９】
前記フィンに代えてガイドピンをガイド片として設けてもよい。この場合、ガイドピンの基部が前記規制領域の溝に間隔をあけて圧入されて突設される。ガイドピンは前記規制領域の周方向両端と、その間の中央部に突設される３本以上とされることが好ましい。
【００２０】
即ち、規制領域の全長にガイド片を突設しなくとも、規制領域の周方向両端と、その間の中央部に間隔をあけてガイド片を突設することで、超電導線の巻付方向の規制と、隣接する巻回部との干渉を防止できる。この場合、ガイドピンが突設されていない部分は、超電導線の隣接する巻回部間に空隙となり、該空隙が冷媒流通路となるため、超電導線を効率よく冷却することができる。
【００２１】
さらに、本発明は、前記超電導コイルを備えたモータ、発電機、変圧器、超電導電力貯蔵装置（ＳＭＥＳ）あるいは限流器からなる超電導機器を提供している。
【発明の効果】
【００２２】
前述したように、本発明によれば、ボビン周方向で規制領域とフリー領域とに分け、規制領域では超電導線の巻付方向を規制して超電導線を周方向に巻き付ける一方、フリー領域では超電導線を巻付方向および巻付角度（ピッチ）を任意に変えることができる。よって、超電導線の巻き付けをボビン軸線方向に往復させて複数層の超電導線からなる超電導コイルを形成することができる。その結果、各層間に従来例で示したような芯材が介在されず、効率良くかつ高密度にボビンに超電導線を巻き付けることができる。
また、フリー領域では超電導線がフリーの状態となるが、ボビン周方向の大部分を占める規制領域でガイド部により超電導線をガイドしているため、巻き付けた超電導線が蛇行したり、積層体とした場合にはばらけるおそれもなく、よって、隣接する巻回部との干渉を防止することができる。
【発明を実施するための最良の形態】
【００２３】
本発明の実施形態を図面を参照して説明する。
図１乃至図６は、本発明の第１実施形態を示す。
超電導コイル１０は、図１に示すように、ボビン２０の外周面に超電導線１１をボビン軸線方向に複数回往復させて巻き付けて複数層として形成したものであり、モータからなる超電導機器に用いられるものである。
【００２４】
前記ボビン２０は、繊維強化樹脂から成形した円筒状の本体２１の外周面に、軸線方向Ｘに一定寸法をあけて、軸線方向と直交方向の円周溝２１ａを平行に設け、各円周溝２１ａにガイド片２２を取り付けている。
前記ガイド片２２は、繊維強化樹脂製の円弧状平板のフィンからなり、前記溝２１ａにガイド片２２の内周縁の基部を圧入固定している。
【００２５】
図３および図４に示すように、ボビン２０の周方向の領域のうち、ガイド片２２を設けた領域を超電導線１１をボビン２０の周方向に巻き付ける規制領域Ｓ１とし、両側を前記ガイド片２２で挟まれた１周の巻回部分を周方向配線部２３している。一方、ガイド片２２を設けていない領域をフリー領域Ｓ２とし、該フリー領域Ｓ２で超電導線１１を次ぎの巻回位置へと軸線方向Ｘに移行させてる領域としている。本実施形態では、フリー領域Ｓ２をボビン２０の軸線方向に平行に連続して設けている。
【００２６】
前記フリー領域Ｓ２における超電導線１１の軸線方向の最大移行寸法Ｌ１とフリー領域の周方向の寸法Ｌ２とは、Ｌ１：Ｌ２＝１：４〜１：５０としている。前記超電導線１１の軸線方向の最大移行寸法Ｌ１はガイド片２２間の間隔に相当する。
本実施形態では、ボビン１０の本体２１の外径は７０ｍｍ、ガイド片１１の間隔（Ｌ１）は５ｍｍとし、前記Ｌ２は５０ｍｍとしている。よって、Ｌ１：Ｌ２＝１：１０としている。
【００２７】
前記ボビン２０に巻き付ける超電導線１１は、ビスマス系超電導材を絶縁被覆した帯状としており、本実施形態では、厚さ０．２ｍｍ、幅４．５ｍｍとしている。
【００２８】
第１実施形態では１枚の超電導線１１をボビン２０の一端から他端にかけて巻き付けた後に他端から一端側へと巻き付け、この往復を繰り返して、１０層程度の複数層としている。
詳細には、図５に示すように、超電導線１１をボビン２０の軸線方向Ｘの一端Ｅ１から他端Ｅ２にかけて巻き付けて超電導コイル１０の一層目を形成している。ガイド片２２を設けた規制領域Ｓ１では両側のガイド片２２に挟まれた周方向配線部２３に超電導線１１を配線して周方向に巻き付け、ガイド片２２を設けていないフリー領域Ｓ２に達すると、周方向配線部２３から該フリー領域Ｓ２に引き出し、フリー領域Ｓ２で次ぎの巻回部となる隣接する周方向配線部２３へ傾斜配線し、順次これを繰り返している。
【００２９】
前記のように、ボビン２０の一端Ｅ１から他端Ｅ２にかけて超電導線１１を巻き付けた後、他端Ｅ２から一端Ｅ１にかけて巻き付けて超電導コイル１０の二層目を形成している。巻付方法は、一層目と同様であり、図６に示すように、規制領域Ｓ１では周方向配線部２３に超電導線１１を配線して周方向に巻き付け、フリー領域Ｓ２では周方向配線部２３から引き出した超電導線１１を周方向に対して傾斜配線させて、一端Ｅ１側に隣接する周方向配線部２３に移行させている。前記フリー領域Ｓ２における傾斜させた巻付方向は前記１層目と逆方向となる。
【００３０】
前記超電導線１１のボビン一端Ｅ１から他端Ｅ２への往路側の巻き付けと、他端Ｅ２から一端Ｅ１への復路側の巻き付けを交互に繰り返して、ボビン２０に超電導線１１を前記のように１０層程度巻き付けた超電導コイル１０を形成している。
【００３１】
前記構成によれば、超電導線１１をボビンに螺旋状に巻き付けるのではなく、ボビン周方向で規制領域Ｓ１とフリー領域Ｓ２とに分け、規制領域Ｓ１ではガイド部２２で超電導線１１の巻付位置を規制して超電導線１１を周方向に巻き付ける一方、ガイド部２２を設けていないフリー領域Ｓ２では超電導線１１を周方向に対して傾斜配線させて軸線方向に移行できる。このフリー領域Ｓ２における超電導線１１の移行はボビン２０の軸線方向Ｘのいずれの方向でも可能であるため、超電導線１１の巻付方向が規制されず、ボビン軸線方向Ｘの一端Ｅ１側から他端Ｅ２側への巻き付け及び他端Ｅ２側から一端Ｅ１側への巻き付けが可能となる。
よって、ボビン軸線方向Ｘの一端Ｅ１側から他端Ｅ２側へ超電導線１１を巻き付けて一層目を形成した後、一層目の超電導線１１の外周面に重ねるようにしてボビン軸線方向Ｘの他端Ｅ２側から一端Ｅ１側へ超電導線１１を巻き返して二層目を形成することができ、これを繰り返して複数層の超電導線１１からなる超電導コイル１０を形成することができる。このようにして形成した超電導コイル１０では、各層間に芯材が介在されないため、効率良くかつ高密度にボビン２０に超電導線１１を巻き付けることができる。
【００３２】
また、フリー領域Ｓ２ではガイド部２２を設けていないため、超電導線１１がフリーの状態となるが、ボビン周方向の大部分を占める規制領域Ｓ１でガイド部２２により超電導線１１を周方向にガイドしているため、複数層で巻き付けた超電導線１１がばらけるおそれもない。
【００３３】
なお、本実施形態では、ボビン２０の本体２１に別体のガイド片２２を取り付けているが、ガイド片を本体２１と一体成形してもよい。
また、全てのガイド片の周方向の一部を切り欠いているが、ボビン軸線方向の両端のガイド片は全周に亙って設けてもよい。このとき、フリー領域Ｓ２に設けられたボビン軸線方向両端のガイド片は巻き付ける超電導線と接触しないためガイド部としての機能を果たしていない。
さらに、本実施形態では、ボビン軸線方向に往復させて超電導線を巻き付けているが、軸線方向の一端から他端までの一層巻きとしてもよい。
さらにまた、本実施形態では、超電導コイルをモータからなる超電導機器に用いているが、発電機、変圧器、超電導電力貯蔵装置（ＳＭＥＳ）あるいは限流器からなる他の超電導機器に用いてもよい。
【００３４】
図７乃至図９は本発明の第２実施形態を示す。
前記第１実施形態では１枚の超電導線１１をボビン２０に巻き付けて超電導コイル１０を形成しているが、本実施形態の超電導コイル３０は、複数枚の超電導線１１を重ねた積層体として一括してボビン２０に巻き付けてコイルを形成している。
【００３５】
詳細には、それぞれ複数枚（本実施形態では９枚）の超電導線を重ね合わせた第１積層体１２と第２積層体１３を設け、これら第１積層体１２と第２積層体１３とを軸線方向に並列させて２列とした状態で、隣接する周方向配線部２３に配線してボビン２０に巻き付けている。
本実施形態では、第１実施形態と超電導線１１の巻付方法を相違させており、後述するように、フリー領域Ｓ２における超電導線１１の最大移行幅はガイド片２２のピッチをＬ１とすると３Ｌ１に相当する（図８（Ｂ）の超電導線１１Ａを参照）。よって、超電導線１１の最大移行幅３Ｌ１とフリー領域Ｓ２の周方向長さＬ２の比を３Ｌ１：Ｌ２＝１：１０、即ち、Ｌ１：Ｌ２＝１：３０として、フリー領域Ｓ２の周方向長さＬ２を第１実施形態よりも長くしている。
【００３６】
次に、超電導線１１からなる第１積層体１２と第２積層体１３の巻付方法について説明する。
前記のように、第１積層体１２と第２積層体１３とをガイド部２２を介して隣接する周方向配線部２３Ａ、２３Ｂに配線してボビン２０に巻き付ける。図７に示すように、１巻回目（１ターン目）の第１積層体１２を構成する超電導線１１を内層側から外層側にかけて１１Ａ〜１１Ｉ、第２積層体１３を構成する超電導線１１を外層側から内層側にかけて１１Ｊ〜１１Ｒとする。
【００３７】
２ターン目を巻き付ける際には、第１積層体１２の最内層の超電導線１１Ａをフリー領域Ｓ２において２つの周方向配線部２３Ｂ、２３Ｃを飛ばして３つ先の周方向配線部２３Ｄに移行し、残りの超電導線１１Ｂ〜１１Ｉを１つの周方向配線部２３Ｂを飛ばして２つ先の周方向配線部２３Ｃに移行する。
一方、第２積層体１３の最外層の超電導線１１Ｊをフリー領域Ｓ２において１つ先の周方向配線部２３Ｃに移行して既に巻き付けた超電導線１１Ｂ〜１１Ｉの最外面へと転位して巻き付け、残りの超電導線１１Ｋ〜１１Ｒを２つ先の周方向配線部２３Ｄに移行して既に巻き付けた超電導線１１Ａの最外面に巻き付ける。
よって、２ターン目では第１積層体１２が超電導線１１Ｂ〜１１Ｊ、第２積層体１３が超電導線１１Ｋ〜１１Ｒ、１１Ａにより構成される。
【００３８】
同様に、３ターン目を巻き付ける際には、第１積層体１２の最内層の超電導線１１Ｂを３つ先の周方向配線部２３Ｆに移行し、残りの超電導線１１Ｃ〜１１Ｊを２つ先の周方向配線部２３Ｅに移行する。一方、第２積層体１３の最外層の超電導線１１Ｋを１つ先の周方向配線部２３Ｅに移行して既に巻き付けた超電導線１１Ｃ〜１１Ｊの最外面に巻き付け、残りの超電導線１１Ｌ〜１１Ｒ、１１Ａを２つ先の周方向配線部２３Ｆに移行して既に巻き付けた超電導線１１Ｂの最外面に巻き付ける。
よって、３ターン目では第１積層体１２が超電導線１１Ｃ〜１１Ｋ、第２積層体１３が超電導線１１Ｌ〜１１Ｒ、１１Ａ、１１Ｂにより構成される。
４ターン目以降も前記と同様の方法により超電導線１１をボビン２０に巻き付けており、巻き付けがボビン軸線方向の端部まで達すると、軸線方向の逆方向に向けて重ねて巻き付けて、図９に示すように、第１積層体１２、第２積層体１３をそれぞれ複数層重ねて巻き付けている。
このように、第１、第２積層体１２、１３を構成する超電導線１１をターン毎に１枚ずつ入れ替えることにより、全ての超電導線１１が内層側や外層側に偏って配線されないようにしている。
【００３９】
前記構成によれば、全ての超電導線１１Ａ〜１１Ｒが内層側、外層側に偏ることなく配線されるため、全ての超電導線に均一に電流を流すことができる。
なお、本実施形態では、第１積層体の最内層を第２積層体の最内層へ、第２積層体の最外層を第１積層体の最外層へ転位させているが、第１積層体の最外層を第２積層体へ、第２積層体の最内層を第１積層体へ転位させる構成としてもよい。
また、本実施形態では、第１積層体と第２積層体の超電導線の枚数を同数としているが、±１枚の範囲で異ならせてもよい。
【００４０】
図１０は、本発明の第３実施形態を示す。
本実施形態では、ボビン２０のガイド片２２を前記実施形態と相違させており、ガイド片２２に外周縁からボビン径方向に延在するスリット２２ａを周方向に間隔をあけて設けている。
前記構成によれば、ボビン２０に巻き付けた超電導線を冷却する液体窒素等からなる冷媒がガイド片２２のスリット２２ａを通ってガイド片２２で挟まれた周方向配線部間にも冷媒が流れ込みやすくなるため、下層の超電導線も効率良く冷却することができる。
【００４１】
図１１は、本発明の第４実施形態を示す。
本実施形態では、ボビン２０に巻き付ける超電導線をガイドするガイド部をガイド片に替えて、ピン状のガイドピン２４により構成している。
ガイドピン２４は、ボビン２０の周方向に所要の間隔をあけて複数設けたガイドピン群２５をボビン軸線方向Ｘに所要の間隔をあけて複数設けている。
ガイドピン２４の周方向の間隔は全てを均一とせず、１つの間隔Ｌ３を他の残りの間隔Ｌ４よりも大きくし、間隔Ｌ３を設けた領域をフリー領域Ｓ２とし、残りの領域を規制領域Ｓ１としている。
超電導線のボビン２０への巻付方法は、前記実施形態と同様であり、規制領域Ｓ１では超電導線を周方向に巻き付ける一方、フリー領域Ｓ２では超電導線をボビン周方向に対して傾斜配線して巻き付けている。
【００４２】
前記構成によれば、ガイドピン２４間の周方向の隙間を全て冷媒流通路とできるため、より効率的に超電導線を冷却することができる。
なお、ガイドピン２４の周方向の間隔は全て均一でもよく、例えば、図１２に示すように、ガイドピン２４をボビン周方向に１２０度間隔で３本設け、各ガイドピン２４で挟まれた３つの領域のうち、１つの領域をフリー領域Ｓ２、残りの領域を規制領域Ｓ１としてもよい。
【００４３】
なお、本発明は前記実施形態に限らず、特許請求の範囲に含まれる形態とすることができる。
【産業上の利用可能性】
【００４４】
本発明の超電導コイルは、自動車等の駆動用モータや、その他発電機、変圧器、超電導電力貯蔵装置（ＳＭＥＳ）等の超電導機器に用いられるものである。
【図面の簡単な説明】
【００４５】
【図１】本発明の第１実施形態の超電導コイルを示す斜視図である。
【図２】超電導コイルを示し、（Ａ）は正面図、（Ｂ）はボビン径方向の要部拡大断面図である。
【図３】超電導コイル用ボビンを示す斜視図である。
【図４】超電導コイル用ボビンを示し、（Ａ）は平面図、（Ｂ）は正面図である。
【図５】一層目の超電導線の巻付方法を示す図面である。
【図６】二層目の超電導線の巻付方法を示す図面である。
【図７】第２実施形態の超電導線の巻付方法を示す図面である。
【図８】２ターン目の巻付方法を示し、（Ａ）は第１積層体の巻付方法を示す図面、（Ｂ）は第２積層体の巻付方法を示す図面である。
【図９】第１、第２積層体を複数層巻き付けた状態を示す図面である。
【図１０】第３実施形態の超電導コイル用ボビンを示す図面である。
【図１１】第４実施形態の超電導コイル用ボビンを示し、（Ａ）は斜視図、（Ｂ）は平面図である。
【図１２】第４実施形態の変形例の超電導コイル用ボビンを示す平面図である。
【図１３】従来例を示す図面である。
【符号の説明】
【００４６】
１０  超電導コイル
１１  超電導線
１２  第１積層体
１３  第２積層体
２０  超電導コイル用ボビン
２１  芯材
２２  ガイド片
２２ａ  スリット
２３  周方向配線部
２４  ガイドピン
Ｓ１  規制領域
Ｓ２  フリー領域
【図１】
2008004903.tif 000003
【図２】
2008004903.tif 000004
【図３】
2008004903.tif 000005
【図４】
2008004903.tif 000006
【図５】
2008004903.tif 000007
【図６】
2008004903.tif 000008
【図７】
2008004903.tif 000009
【図８】
2008004903.tif 000010
【図９】
2008004903.tif 000011
【図１０】
2008004903.tif 000012
【図１１】
2008004903.tif 000013
【図１２】
2008004903.tif 000014
【図１３】
2008004903.tif 000015